(57)【要約】【課題】点灯ユニットの収納部の、天井面よりも下方への突出長を抑えた照明器具を提供する。【解決手段】実施形態によれば、照明器具は、器具本体と光源と点灯ユニットとを備えている。器具本体は、天井面に向けられる上面と上面の裏側に設けられた光源取付面と上面よりも上方に突出し天井面の裏側に設けられる第１の収納部と、第１の収納部の下で天井面の下方に突出する第２の収納部とを有する。点灯ユニットは、第１の収納部及び第２の収納部の内側の、第１の収納部及び第２の収納部によって囲まれた空間内に収納され、光源を点灯制御する点灯装置と、点灯装置と光源とを接続する配線ケーブルとを有する。【選択図】図５
2014067504.tif 000002
【特許請求の範囲】
【請求項１】
天井面に向けられる上面と、前記上面の裏側に設けられた光源取付面と、前記上面よりも上方に突出し、前記天井面の裏側に設けられる第１の収納部と、前記第１の収納部の下で前記天井面の下方に突出する第２の収納部と、を有する器具本体と、
前記器具本体の前記光源取付面に取り付けられた光源と、
前記第１の収納部及び前記第２の収納部の内側の、前記第１の収納部及び前記第２の収納部によって囲まれた空間内に収納された点灯ユニットであって、前記光源を点灯制御する点灯装置と、前記点灯装置と前記光源とを接続する配線ケーブルとを有する点灯ユニットと、
を備えた照明器具。
【請求項２】
前記点灯装置は、前記空間における上側に収納され、
前記配線ケーブルは、前記空間における前記点灯装置よりも下側に収納されている請求項１記載の照明器具。
【請求項３】
前記器具本体は、
前記第１の収納部を有し、前記天井面に対して締結部品によって取り付けられる取付板と、
前記光源取付面と前記第２の収納部とを有し、前記取付板に対して着脱自在に取り付けられる光源保持板と、
を有する請求項１または２に記載の照明器具。
【請求項４】
前記取付板と前記光源保持板との間に、前記締結部品の収容スペースが形成されている請求項３記載の照明器具。
【請求項５】
前記光源保持板は、
前記締結部品の前記収容スペースの下方に設けられ、前記光源取付面に対して傾斜し、前記光源から出射された光に対する反射性を有する反射板を有する請求項４記載の照明器具。
【発明の詳細な説明】
【技術分野】
【０００１】
本発明の実施形態は、照明器具に関する。
【背景技術】
【０００２】
天井面に対して直付けされるベースライトにおいて、天井面の下方に突出する点灯装置や配線ケーブルの収納部が薄型化の障害になっている。
【先行技術文献】
【特許文献】
【０００３】
【特許文献１】特開２０１１−３４３４号公報
【発明の概要】
【発明が解決しようとする課題】
【０００４】
点灯ユニットの収納部の、天井面よりも下方への突出長を抑えた照明器具を提供する。
【課題を解決するための手段】
【０００５】
実施形態によれば、照明器具は、器具本体と、光源と、点灯ユニットと、を備えている。前記器具本体は、天井面に向けられる上面と、前記上面の裏側に設けられた光源取付面と、前記上面よりも上方に突出し、前記天井面の裏側に設けられる第１の収納部と、前記第１の収納部の下で前記天井面の下方に突出する第２の収納部と、を有する。前記光源は、前記器具本体の前記光源取付面に取り付けられている。前記点灯ユニットは、前記第１の収納部及び前記第２の収納部の内側の、前記第１の収納部及び前記第２の収納部によって囲まれた空間内に収納されている。前記点灯ユニットは、前記光源を点灯制御する点灯装置と、前記点灯装置と前記光源とを接続する配線ケーブルとを有する。
【発明の効果】
【０００６】
照明器具の薄型化が可能となる。
【図面の簡単な説明】
【０００７】
【図１】実施形態の照明器具の発光面側を見た斜視図。
【図２】実施形態の照明器具の上面側を見た斜視図。
【図３】実施形態の照明器具における取付板の斜視図。
【図４】実施形態の照明器具における光源保持板の斜視図。
【図５】実施形態の照明器具の模式断面図。
【図６】実施形態の照明器具における光源の模式斜視図。
【図７】実施形態の照明器具の取り付け方法を示す模式断面図。
【図８】実施形態の照明器具の取り付け方法を示す模式断面図。
【図９】実施形態の照明器具の、天井面に対する他の取付形態を示す模式断面図。
【発明を実施するための形態】
【０００８】
以下、図面を参照し、実施形態について説明する。なお、各図面中、同じ要素には同じ符号を付している。
【０００９】
図１は、実施形態の照明器具１の発光面側を見た斜視図である。  
図２は、照明器具１の上面側を見た斜視図である。  
図５は、照明器具１が天井面１００に取り付けられた状態の模式断面図である。
【００１０】
実施形態の照明器具１は、器具本体５と、光源５０と、点灯ユニット６０（図５に示す）とを有する。照明器具１は、図５に示すように、光源５０の発光面を下方に向けて、天井面１００に対して取り付けられる。
【００１１】
ここで、天井面１００に対して平行な面内で直交する２方向をＸ方向（第１の方向）及びＹ方向（第２の方向）とする。また、Ｘ方向及びＹ方向に対して直交する方向（鉛直方向）をＺ方向（第３の方向）とする。
【００１２】
器具本体５は、図３に示す取付板１０と、図４に示す光源保持板３０とを有する。  
図３は、取付板１０の斜視図である。
【００１３】
取付板１０は、Ｙ方向に延びる第１の収納部１４と、第１の収納部１４をＸ方向に挟んで設けられた一対の天板部１１とを有する。
【００１４】
天板部１１の図２に示す上面１２は天井に向けられる。第１の収納部１４は、天板部１１の上面１２よりも上方に突出しており、図５に示すように天井面１００の裏側に埋め込まれる。
【００１５】
第１の収納部１４は、Ｙ方向に延びる上板部１５と、上板部１５の短手方向（Ｘ方向）の両端部に設けられ、上板部１５から天板部１１に向けて垂下した一対の側板部１６とを有する。側板部１６も、Ｙ方向に延びている。
【００１６】
天板部１１は、側板部１６の下端部に一体に設けられ、Ｘ方向及びＹ方向に広がっている。天板部１１のＹ方向の両端部、および天板部１１における第１の収納部１４から遠い側のＸ方向の端部には、天板部１１から下方に垂下した外枠１９が設けられている。
【００１７】
取付板１０は、天板部１１、外枠１９、および第１の収納部１４が一体に設けられた金属板の成形体である。
【００１８】
次に、光源保持板３０について説明する。  
図４は、光源保持板３０の斜視図である。
【００１９】
光源保持板３０は、Ｙ方向に延びる第２の収納部３５と、第２の収納部３５をＸ方向に挟んで設けられた一対の光源取付部３１とを有する。
【００２０】
光源取付部３１は、板状に形成され、その下面に光源取付面３３が形成されている。光源取付部３１は、取付板１０の天板部１１の下面１３に重ね合わされる。図５に示すように、光源取付部３１が取付板１０の天板部１１に重ね合わされた状態で、光源取付面３３は、天井面１００よりも下方に向けられる。
【００２１】
光源取付面３３には、光源５０が取り付けられている。光源５０の基板５１が、光源取付部３１に対して例えばネジ止めされている。
【００２２】
第２の収納部３５は、図１、２、５に示すように、取付板１０の第１の収納部１４の真下に設けられ、天井面１００の下方に突出している。第２の収納部３５はＹ方向に延び、第２の収納部３５のＹ方向の長さは、第１の収納部１４のＹ方向の長さと同じである。
【００２３】
第２の収納部３５は、一対の側壁部３６と、一対の側壁部３６の下端部に一体に設けられ、一対の側壁部３６の下端部をつなぐ底部３７とを有する。側壁部３６および底部３７は、Ｙ方向に延びている。
【００２４】
一対の側壁部３６は、Ｖ字断面を形成するように、光源取付面３３に対して傾斜し、光源取付面３３に取り付けられた光源５０の側方でＹ方向に延びている。
【００２５】
光源取付部３１における第２の収納部３５から遠い側の端部には、光源取付面３３に対して傾斜し、且つＹ方向に延びる反射板３９が設けられている。反射板３９の下面は、光源取付面３３に対して鈍角を形成して傾斜している。
【００２６】
反射板３９の下面には鏡面仕上げまたは白色塗装が施され、反射板３９の下面は光源５０から出射された光に対する反射性を有する。
【００２７】
なお、第２の収納部３５の側壁部３６の側面、および光源取付面３３にも、鏡面仕上げまたは白色塗装が施され、それらの面は光源５０から出射された光に対する反射性を有する。
【００２８】
光源保持板３０は、光源取付部３１、第２の収納部３５、および反射板３９が一体に設けられた金属板の成形体である。
【００２９】
光源取付面３３には、複数の光源５０が取り付けられている。第２の収納部３５をＸ方向に挟んだ一対の光源取付面３３のそれぞれには、例えば２つの光源５０がＹ方向に並べられている。
【００３０】
図６は、光源５０の斜視図である。
【００３１】
光源５０は、矩形板状の基板５１と、基板５１上に実装され基板５１の長手方向に配列された複数の発光素子５２とを有する。１枚の基板５１につき、例えば２列の複数の発光素子５２が基板５１の長手方向に配列されている。光源５０の発光面（発光素子５２の実装面）が、光源取付面３３の下方に向けられている。
【００３２】
発光素子５２は、例えば、発光ダイオード（Light Emitting Diode：ＬＥＤ）である。ＬＥＤの活性層の材料として、例えば窒化ガリウム（ＧａＮ）系化合物半導体を用いると、波長５００ｎｍ以下の短波長光が得られる。ただし、活性層の材料は、窒化ガリウム系化合物半導体に限られるものではない。
【００３３】
また、発光素子５２としては、ＬＥＤのほかにも、例えば、有機発光ダイオード（Organic Light Emitting Diode：ＯＬＥＤ）、無機エレクトロルミネッセンス（Inorganic ElectroLuminescence）発光素子、有機エレクトロルミネッセンス（Organic ElectroLuminescence）発光素子、あるいはその他の電界発光型の発光素子などを用いることができる。
【００３４】
また、発光素子５２は蛍光体層も含む。実施形態においては、例えば、青色光を発光するＬＥＤと、その青色光（励起光）を吸収して黄色光に変換する蛍光体を含む蛍光体層との組み合わせにより、発光素子５２は、青色光と黄色光との混合色として白色や電球色などの光を放出する。
【００３５】
光源保持板３０は金属板であるので、光源５０の熱を、取付板１０や天井面１００に放熱するための放熱板としても機能する。
【００３６】
光源保持板３０は取付板１０に対して、後述するように着脱自在に取り付けられる。光源保持板３０の光源取付部３１の裏面（上面）が、取付板１０の天板部１１の下面１３に対して重ねられる。
【００３７】
その状態で、取付板１０の第１の収納部１４の下に、光源保持板３０の第２の収納部３５が重ねられる。上下に重ねられた第１の収納部１４及び第２の収納部３５の内側には、それら第１の収納部１４及び第２の収納部３５によって囲まれた空間２０（図５に示す）が形成される。
【００３８】
その空間２０内に、図５に示すように、点灯ユニット６０が収納されている。点灯ユニット６０は、天井裏に配線された図示しない外部配線と接続され、光源５０を点灯制御する点灯装置６１と、点灯装置６１と光源５０とを接続する配線ケーブル（内部配線）６２とを有する。
【００３９】
点灯装置６１は、商用電源の交流を直流に変換して光源５０に出力し、発光素子５２を点灯させる点灯回路と、点灯回路を覆うカバー（ケース）とを有する。また、点灯回路は、外部の制御信号に基づいて、発光素子５２に供給される電力の大きさや、電力の供給時間（点灯時間）を制御し、発光素子５２の点灯状態を制御する。
【００４０】
点灯装置６１は、第１の収納部１４と第２の収納部３５とが形成する空間２０における上側（第１の収納部１４側）に収納されている。配線ケーブル６２は、その空間２０における点灯装置６１よりも下側に収納されている。なお、点灯装置６１の一部が、第２の収納部３５の内側の空間内にあってもよい。
【００４１】
次に、図７及び図８を参照して、照明器具１の取り付け方法について説明する。
【００４２】
図７に示すように、まず、取付板１０が、第１の収納部１４内に点灯ユニット６０を収納した状態で、天井面１００に対して取り付けられる。
【００４３】
取付板１０が天井面１００に対して取り付けられる前に、点灯ユニット６０の点灯装置６１は、第１の収納部１４の上板部１５に対して例えばネジ止めされて固定される。あるいは、取付板１０を天井面１００に取り付けた後に、第１の収納部１４の下方から点灯ユニット６０を第１の収納部１４内に入れて、点灯装置６１を上板部１５に対して固定してもよい。なお、点灯装置６１は、側板部１６に対して固定してもよい。
【００４４】
取付板１０は、締結部品によって天井面１００に対して取り付けられる。図７及び図８では、締結部品として例えばボルト９１とナット９２を使った取付構造を例示する。
【００４５】
ボルト９１は、天井または天井に対して固定された構造物に対して取り付けられ、ボルト９１の下端部は天井面１００よりも下方に突出している。
【００４６】
また、天井面１００にはスリット１０１が形成されている。スリット１０１は、第１の収納部１４の長手方向と同じ方向（図７において紙面を貫く方向）に延びている。そのスリット１０１を挟んで一対のボルト９１が設けられている。
【００４７】
図２に示すように、取付板１０の一対の天板部１１のそれぞれには、貫通孔１８が形成されている。ボルト９１は、その貫通孔１８内に通される。このとき、第１の収納部１４は、天井面１００に形成されたスリット１０１内に挿入され、天井裏に入れられる。天板部１１の上面は、図８に示すように、天井面１００に接触して重ね合わされる。
【００４８】
ボルト９１の下端部は、上記貫通孔１８を通じて、天板部１１の下方に突出し、その下端部に、図８に示すようにナット９２が結合される。ボルト９１とナット９２の締結力により、天板部１１が天井面１００に対して取り付けられる。
【００４９】
第１の収納部１４の上板部１５には、図２に示すように貫通孔１７が形成されている。天井裏に配線された外部配線は、その貫通孔１７を通じて第１の収納部１４内に引き込まれ、点灯装置６１に対して図示しないコネクタを介して接続される。
【００５０】
この時点で、光源保持板３０はまだ取付板１０に対して取り付けられていない。したがって、点灯装置６１に対する外部配線の接続作業、第１の収納部１４に対する点灯装置６１の取付作業、およびボルト９１に対するナット９２の締結作業は、光源保持板３０によって妨げられない。
【００５１】
上記作業が完了した後、光源保持板３０が取付板１０に対して取り付けられる。光源保持板３０は、取付板１０に対して着脱自在に取り付けられる。例えば、光源保持板３０及び取付板１０の一方にＶ字バネが取り付けられ、他方にそのＶ字バネが掛止する掛止部が設けられ、それらＶ字バネと掛止部との掛止により、光源保持板３０は取付板１０に対して着脱自在に取り付けられる。
【００５２】
光源保持板３０が取付板１０に対して取り付けられる前に、光源５０の基板５１は、光源保持板３０の光源保持部３１に対して例えばネジ止めされる。
【００５３】
また、点灯装置６１に接続された配線ケーブル６２を、光源５０の基板５１に実装された図示しないコネクタに接続し、点灯装置６１を光源５０と電気的に接続する。あるいは、配線ケーブル６２は、先に光源５０側に接続しておいて、光源保持板３０の取付作業の際に、配線ケーブル６２を点灯装置６１に接続してもよい。
【００５４】
光源保持板３０の第２の収納部３５は、取付板１０の第１の収納部１４の下に重ねられ、配線ケーブル６２は、第２の収納部３５の内側の空間内に収納される。
【００５５】
配線ケーブル６２を、点灯装置６１よりも下方の空間に配置することで、天井面１００の下方から作業を行う作業者にとって、配線ケーブル６２が点灯装置６１で隠れずに手元に近くなるので、配線ケーブル６２を光源５０や点灯装置６１に結線する作業がしやすい。
【００５６】
また、図５に示すように、光源保持板３０の反射板３９は、天板部１１に対して傾斜しているため、ボルト９１及びナット９２にはぶつからず、取付板１０と反射板３９との間に、ボルト９１及びナット９２の収容スペース２１が確保される。反射板３９は、その収容スペース２１の下方に設けられ、ボルト９１及びナット９２を天井面１００の下方に対して覆い隠す。
【００５７】
以上説明した実施形態の照明器具１によれば、点灯ユニット６０を収納するための収納部として、天井面１００に対して重ねられる取付板１０の天板部１１を基準にして上方及び下方の一方に偏ることなく両方向に突出させた第１の収納部１４及び第２の収納部３５を設けている。
【００５８】
点灯ユニット６０の全体を天井面１００よりも下方に収納しなくてもよく、点灯ユニット収納部の天井面１００より下方への突出長を抑えることができる。逆に、点灯ユニット６０の全体を天井面１００の裏側に埋め込まなくてもよく、点灯ユニット収納部の天井裏への突出長を抑えることができる。結果として、照明器具１全体を薄型化できる。
【００５９】
点灯ユニット収納部の天井面１００よりも下方への突出長を抑えることで、点灯ユニット収納部が影になりにくく、照明器具１の下面全面が発光面となるような光学特性を実現できる。
【００６０】
点灯ユニット収納部の天井裏への突出長を抑えることで、天井裏スペースが限られている場所においても、点灯ユニット収納部を天井裏の構造物と干渉させることなく、照明器具１を天井面１００に取り付けることができる。
【００６１】
また、光源５０はＹ方向に沿って配列されているが、反射性を有する光源取付面３３、光源取付面３３に対していずれも傾斜した反射板３９および第２の収納部３５の側壁部３６による鏡面反射や拡散反射によって、均一な発光面を実現できる。
【００６２】
また、照明器具１の天井面１００に対する取り付けは取付板１０が担い、その取付板１０に対して光源保持板３０は着脱自在に取り付けられている。したがって、取付板１０によって照明器具１の天井面１００に対する取付強度を維持しつつ、光源保持板３０を必要に応じて交換することで、光学特性や意匠性の選択自由度の高い照明器具１を提供することができる。
【００６３】
取付板１０の天井面１００に対する取付構造は、ボルト９１とナット９２を使った取付構造に限らず、図９に示すように、木ねじ９５を使って、取付板１０を天井面１００に対して取り付けてもよい。
【００６４】
木ねじ９５は、天板部１１の下方から図２に示す貫通孔１８を貫通して、天井に対してネジ込まれる。この場合も、光源保持板３０の反射板３９は、天板部１１に対して傾斜しているため、取付板１０と反射板３９との間に、木ねじ９５の収容スペース２１が確保される。反射板３９は、その収容スペース２１の下方に設けられ、木ねじ９５の頭部を天井面１００の下方に対して覆い隠す。
【００６５】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００６６】
１…照明器具、５…器具本体、１０…取付板、１４…第１の収納部、３０…光源保持板、３３…光源取付面、３５…第２の収納部、３９…反射板、５０…光源、５２…発光素子、６０…点灯ユニット、６１…点灯装置、６２…配線ケーブル
【図１】
2014067504.tif 000003
【図２】
2014067504.tif 000004
【図３】
2014067504.tif 000005
【図４】
2014067504.tif 000006
【図５】
2014067504.tif 000007
【図６】
2014067504.tif 000008
【図７】
2014067504.tif 000009
【図８】
2014067504.tif 000010
【図９】
2014067504.tif 000011